【手続補正書】
【提出日】平成19年6月27日(2007.6.27)
【手続補正１】
【補正対象書類名】明細書
【補正対象項目名】特許請求の範囲
【補正方法】変更
【補正の内容】
【特許請求の範囲】
【請求項１】  所定の間隔で配置された色成分毎の複数の画像形成手段を有する画像形成装置において、
前記複数の画像形成手段に記録シートを搬送する搬送手段と、
前記複数の画像形成手段間を記録シートが搬送されるのに要する時間分画像データの送出を遅延させる遅延メモリと、
画像形成される画像データの主走査方向における１ページの長さ及び副走査方向における１ページの長さをページ単位に複数記憶する長さ保持手段と、
前記長さ保持手段に記憶された主走査方向長さ及び副走査方向長さに基づいて連続する複数ページの画像データの前記遅延メモリへの書き込みを制御する書込み制御手段と、
前記長さ保持手段に記憶された主走査方向長さ及び副走査方向長さに基づいて前記遅延メモリに記憶された画像データの読出を制御する読出し制御手段とを備えたことを特徴とする画像形成装置。
【請求項２】  前記複数の画像形成手段で連続して複数ページの画像を形成する場合、前記読出し制御手段によりあるページの画像データを読出中に、前記書込み制御手段により次のページの画像データが前記遅延メモリに書き込まれることを特徴とする請求項１記載の画像形成装置。
【請求項３】  前記複数の像形成部はシアン、マゼンダ、イエローおよびブラックの各感光ドラムを有し、前記搬送手段は配置された両端部の感光ドラムの間隔より短い間隔で記録シートを搬送することを特徴とする請求項１記載の画像形成装置。
【請求項４】  所定の間隔で配置された色成分毎の複数の画像形成手段を有する画像形成装置において、
記録シートを前記複数の画像形成手段に搬送する搬送手段と、
前記複数の画像形成手段間を記録シートが搬送されるのに要する時間分画像データの送出を遅延させる遅延メモリと、
画像形成される１ページの画像データの主走査方向におけるサイズを実際のサイズに拘わらず、記録可能な最大サイズとして記憶する長さ保持手段と、
前記ページ単位に保持された画像データ情報を基に、前記遅延メモリに書き込まれた画像データを読み出す読出制御手段とを備えたことを特徴とする画像形成装置。
【請求項５】  所定の間隔で配置された色成分毎の複数の画像形成手段を有する画像形成装置において、
記録シートを前記複数の画像形成手段に搬送する搬送手段と、
前記複数の画像形成手段間を記録シートが搬送されるのに要する時間分画像データの送出を遅延させる遅延メモリと、
画像形成される１ページの画像データの前記遅延メモリへの書込み終了アドレスをページ毎に複数記憶する保持手段と、
前記保持手段に記憶されたページ毎の書込み終了アドレスに基づいて前記遅延メモリからのページ毎の画像データの読出を制御する読出制御手段とを備えたことを特徴とする画像形成装置。
【請求項６】  画像形成手段に順番に搬送されるシートに画像が形成されるタイミングを合わせるために、画像データを一旦遅延メモリに書き込んだ後、該遅延メモリから画像データを読み出して前記画像形成手段に出力する画像形成装置において、
前記画像形成手段で順番に画像が形成される画像データの情報をページ単位に複数保持する画像データ情報保持手段と、
前記ページ単位に保持された画像データ情報を基に、前記遅延メモリに書き込まれた対応する画像データを読み出す読出手段とを備えたことを特徴とする画像形成装置。
【請求項７】  所定の間隔で配置された色成分毎の複数の画像形成手段に記録シートを搬送する搬送ステップと、
前記複数の画像形成手段間を記録シートが搬送されるのに要する時間分画像データの送出を遅延させる遅延メモリに前記画像データを書き込む書込みステップと、
画像形成される画像データの主走査方向における１ページの長さ及び副走査方向における１ページの長さをページ単位に複数記憶する長さ保持ステップと、
前記長さ保持ステップで記憶された主走査方向長さ及び副走査方向長さに基づいて連続する複数ページの画像データの前記遅延メモリへの書き込みを制御する書込み制御ステップと、
前記長さ保持ステップで記憶された主走査方向長さ及び副走査方向長さに基づいて前記遅延メモリに記憶された画像データの読出を制御する読出し制御ステップとを有する画像形成方法。
【請求項８】  所定の間隔で配置された色成分毎の複数の画像形成手段に記録シートを搬送する搬送ステップと、
前記複数の画像形成手段間を記録シートが搬送されるのに要する時間分画像データの送出を遅延させる遅延メモリに前記画像データを書き込む書込みステップと、
画像形成される１ページの画像データの主走査方向におけるサイズを実際のサイズに拘わらず、記録可能な最大サイズとして記憶する長さ保持ステップと、
前記ページ単位に保持された画像データ情報を基に、前記遅延メモリに書き込まれた画像データを読み出す読出制御ステップとを有する画像形成方法。
【請求項９】  所定の間隔で配置された色成分毎の複数の画像形成手段に記録シートを搬送する搬送ステップと、
前記複数の画像形成手段間を記録シートが搬送されるのに要する時間分画像データの送出を遅延させる遅延メモリに前記画像データを書き込む書込みステップと、
画像形成される１ページの画像データの前記遅延メモリへの書込み終了アドレスをページ毎に複数記憶する保持ステップと、
前記保持ステップで記憶されたページ毎の書込み終了アドレスに基づいて前記遅延メモリからのページ毎の画像データの読出を制御する読出制御ステップとを有することを特徴とする画像形成方法。
【請求項１０】  画像形成手段に順番に搬送されるシートに画像が形成されるタイミングを合わせるために、画像データを一旦遅延メモリに書き込んだ後、該遅延メモリから画像データを読み出して前記画像形成手段に出力する画像形成方法において、
前記画像形成手段で順番に画像が形成される画像データの情報をページ単位に複数保持する画像データ情報保持ステップと、
前記ページ単位に保持された画像データ情報を基に、前記遅延メモリに書き込まれた対応する画像データを読み出す読出ステップとを有することを特徴とする画像形成方法。
【請求項１１】  請求項７乃至１０のいずれかに記載の画像形成方法を実現するためのコンピュータで読み取り可能なプログラムコードを有することを特徴とするプログラム。
【手続補正２】
【補正対象書類名】明細書
【補正対象項目名】００１３
【補正方法】変更
【補正の内容】
【００１３】
【課題を解決するための手段】
上記目的を達成するために、本発明の画像形成装置は、所定の間隔で配置された色成分毎の複数の画像形成手段を有する画像形成装置において、前記複数の画像形成手段に記録シートを搬送する搬送手段と、前記複数の画像形成手段間を記録シートが搬送されるのに要する時間分画像データの送出を遅延させる遅延メモリと、画像形成される画像データの主走査方向における１ページの長さ及び副走査方向における１ページの長さをページ単位に複数記憶する長さ保持手段と、前記長さ保持手段に記憶された主走査方向長さ及び副走査方向長さに基づいて連続する複数ページの画像データの前記遅延メモリへの書き込みを制御する書込み制御手段と、前記長さ保持手段に記憶された主走査方向長さ及び副走査方向長さに基づいて前記遅延メモリに記憶された画像データの読出を制御する読出し制御手段とを備えたことを特徴とする。
【手続補正３】
【補正対象書類名】明細書
【補正対象項目名】００１６
【補正方法】変更
【補正の内容】
【００１６】
本発明の画像形成装置は、画像形成手段に順番に搬送されるシートに画像が形成されるタイミングを合わせるために、画像データを一旦遅延メモリに書き込んだ後、該遅延メモリから画像データを読み出して前記画像形成手段に出力する画像形成装置において、前記画像形成手段で順番に画像が形成される画像データの情報をページ単位に複数保持する画像データ情報保持手段と、前記ページ単位に保持された画像データ情報を基に、前記遅延メモリに書き込まれた対応する画像データを読み出す読出手段とを備えたことを特徴とする。
【手続補正４】
【補正対象書類名】明細書
【補正対象項目名】００１７
【補正方法】変更
【補正の内容】
【００１７】
本発明の画像形成方法は、所定の間隔で配置された色成分毎の複数の画像形成手段に記録シートを搬送する搬送ステップと、前記複数の画像形成手段間を記録シートが搬送されるのに要する時間分画像データの送出を遅延させる遅延メモリに前記画像データを書き込む書込みステップと、画像形成される画像データの主走査方向における１ページの長さ及び副走査方向における１ページの長さをページ単位に複数記憶する長さ保持ステップと、前記長さ保持ステップで記憶された主走査方向長さ及び副走査方向長さに基づいて連続する複数ページの画像データの前記遅延メモリへの書き込みを制御する書込み制御ステップと、前記長さ保持ステップで記憶された主走査方向長さ及び副走査方向長さに基づいて前記遅延メモリに記憶された画像データの読出を制御する読出し制御ステップとを有する。
【手続補正５】
【補正対象書類名】明細書
【補正対象項目名】００２０
【補正方法】変更
【補正の内容】
【００２０】
本発明の画像形成方法は、画像形成手段に順番に搬送されるシートに画像が形成されるタイミングを合わせるために、画像データを一旦遅延メモリに書き込んだ後、該遅延メモリから画像データを読み出して前記画像形成手段に出力する画像形成方法において、前記画像形成手段で順番に画像が形成される画像データの情報をページ単位に複数保持する画像データ情報保持ステップと、前記ページ単位に保持された画像データ情報を基に、前記遅延メモリに書き込まれた対応する画像データを読み出す読出ステップとを有することを特徴とする。
【手続補正６】
【補正対象書類名】明細書
【補正対象項目名】００２１
【補正方法】変更
【補正の内容】
【００２１】
また、本発明のプログラムは、上記画像形成方法を実現するためのコンピュータで読み取り可能なプログラムコードを有することを特徴とする。